(57)【要約】【課題】外灯の保守委託契約に基づいて外灯が夜間不点灯、昼間点灯を検出する外灯点灯確認システム等を提供する。【解決手段】外灯点灯確認システムは、１以上の外灯とこれらを管理する管理サーバ１００とが通信回線３００を介して互いに接続され、外灯の所有者と電気事業者間で保守委託契約をした契約外灯情報を記憶した契約外灯情報記憶手段１２２と、契約外灯情報に基づいて所定の時刻に外灯の点灯確認を行う点灯確認手段と、点灯確認手段による点灯確認結果を表示する表示手段１４０と、点灯確認結果を点灯確認した時刻に関係付けて履歴データとして記憶する履歴データ記憶手段１５２と、履歴データ記憶手段１５２が記憶している履歴データと、各外灯の各部品の寿命データの情報から外灯の部品の交換時期を演算する交換時期演算手段１３４とを備える。表示手段は交換時期演算手段１３４により演算された外灯の部品の交換時期を表示する。【選択図】図１
2006344464.tif 000002
【特許請求の範囲】
【請求項１】
１以上の外灯と、前記外灯を管理する管理サーバと、が通信回線を介して互いに接続された外灯点灯確認システムであって、
前記外灯の所有者と電気事業者との間で前記外灯の保守委託契約をした契約外灯情報を記憶した契約外灯情報記憶手段と、
前記契約外灯情報に基づいて所定の時刻に前記外灯の点灯確認を行う点灯確認手段と、
前記点灯確認手段による点灯確認結果を表示する表示手段と、
を備えた外灯点灯確認システム。
【請求項２】
請求項１に記載の外灯点灯確認システムであって、
前記点灯確認結果を点灯確認した時刻に関係付けて履歴データとして記憶する履歴データ記憶手段を更に有し、
前記表示手段は、更に前記履歴データを表示する外灯点灯確認システム。
【請求項３】
請求項２に記載の外灯点灯確認システムであって、
前記履歴データと、各外灯の各部品の寿命データの情報とに基づいて、前記外灯の部品の交換時期を演算する交換時期演算手段と、
前記表示手段は、更に前記交換時期演算手段により演算された外灯の部品の交換時期を表示する外灯点灯確認システム。
【請求項４】
請求項２または請求項３に記載の外灯点灯確認システムであって、
前記履歴データに基づいて保守委託契約料金を算出する保守委託契約料金算出手段と、
前記保守委託契約料金と前記外灯の電気料金とを前記所有者に請求する料金請求手段と、
を更に備える外灯点灯確認システム。
【請求項５】
外灯点灯確認機器であって、
外灯の発する光を検出する外灯光検出手段と、
太陽光を検出する太陽光検出手段と、
外灯の識別記号を記憶する識別記号記憶手段と、
を備えた外灯点灯確認機器。
【請求項６】
請求項１から４のいずれかに記載の外灯点灯確認システムであって、
前記点灯確認手段は、
請求項５に記載の少なくとも１つの外灯点灯確認機器と、
所定の時刻に、前記各外灯点灯確認機器に記憶されている識別記号と外灯光検出手段の検出情報と前記太陽光検出手段との検出情報とを前記通信回線を介して取得するサンプリング手段と、
前記検出情報に基づき外灯が正常か異常かを判定する判定手段と、
を備える外灯点灯確認システム。
【請求項７】
１以上の外灯と、前記外灯を管理する管理サーバと、が通信回線を介して互いに接続された外灯点灯確認システムにおいて、コンピュータを前記管理サーバとしての機能をさせるための外灯点灯確認プログラムであって、
前記外灯の所有者と電気事業者との間で前記外灯の保守委託契約をした契約外灯情報を記憶した契約外灯情報記憶手段、
前記契約情報に基づいて所定の時刻に外灯の点灯確認を行う点灯確認手段、
及び前記点灯確認手段による点灯確認結果を表示する表示手段、
として機能させることを特徴とする外灯点灯確認プログラム。
【請求項８】
請求項７に記載の外灯点灯確認プログラムであって、
前記コンピュータを、
前記点灯確認結果を時刻に関係付けて履歴データとして記憶する履歴データ記憶手段、
及び前記表示手段を、さらに前記履歴データを表示する表示手段、
としてさらに機能させることを特徴とする外灯点灯確認プログラム。
【請求項９】
請求項７または８に記載の外灯点灯確認プログラムであって、
前記コンピュータを、
前記履歴データ記憶手段が記憶している履歴データと、各外灯の各部品の寿命データの情報とに基づいて、前記外灯の部品の交換時期を演算する交換時期演算手段、
及び前記表示手段は、更に前記交換時期演算手段により演算された外灯の部品の交換時期を表示する表示手段、
としてさらに機能させることを特徴とする外灯点灯確認プログラム。
【請求項１０】
請求項７から９のいずれかに記載の外灯点灯確認プログラムであって、
前記コンピュータを、
前記履歴データに基づいて保守委託契約料金を算出する保守委託契約料金算出手段、
及び前記保守委託契約料金と前記外灯の電気料金とを前記所有者に請求する料金請求手段、
としてさらに機能させることを特徴とする外灯点灯確認プログラム。
【請求項１１】
請求項７から１０のいずれかに記載の外灯点灯確認プログラムであって、
前記コンピュータを、
所定の時刻に、前記各外灯点灯確認機器に記憶されている識別記号と外灯光検出手段の検出情報と前記太陽光検出手段の検出情報とを前記通信回線を介して取得するサンプリング手段としてさらに機能させることを特徴とする外灯点灯確認プログラム。
【請求項１２】
１以上の外灯と通信回線を介して接続された、前記外灯を管理する外灯点灯確認サーバであって、
前記外灯の所有者と電気事業者との間で前記外灯の保守委託契約をした契約外灯情報を記憶した契約外灯情報記憶手段と、
前記契約外灯情報記憶手段に記憶された契約外灯情報に基づいて所定の時刻に前記外灯の点灯確認を行う点灯確認手段と、
前記点灯確認手段による点灯確認結果を表示する表示手段と、
を少なくとも備えた外灯点灯確認サーバ。
【請求項１３】
１以上の外灯と、前記外灯を管理する管理サーバと、が通信回線を介して互いに接続されたシステムにおける外灯点灯確認方法であって、
前記外灯の所有者と電気事業者との間で前記外灯の保守委託契約をした契約外灯情報を記憶した契約外灯情報記憶手段ステップと、
前記契約外灯情報に基づいて所定の時刻に前記外灯の点灯確認を行う点灯確認ステップと、
前記点灯確認ステップによる点灯確認結果を表示する表示ステップと、
を有する外灯点灯確認方法。
【請求項１４】
請求項１３に記載の外灯点灯確認方法であって、
前記点灯確認結果を確認時刻に関係付けて履歴データとして記憶する履歴データ記憶ステップを更に有し、
前記表示ステップは、前記履歴データを表示するステップを更に有する外灯点灯確認方法。
【請求項１５】
請求項１３または１４に記載の外灯点灯確認方法であって、
前記履歴データ記憶ステップにて記憶している履歴データと、各外灯の各部品の寿命データ情報とに基づいて、前記外灯の部品の交換時期を演算する交換時期演算ステップと、
前記表示ステップは、前記交換時期演算ステップにより演算された外灯の部品の交換時期を表示するステップを更に有する外灯点灯確認方法。
【発明の詳細な説明】
【技術分野】
【０００１】
本発明は、外灯点灯確認システムプログラム、機器、サーバ及び外灯点灯確認方法に係り、特に、契約に基づいて外灯の夜間不点灯、昼間点灯を検出するこれらのもの及び方法に関する。
【背景技術】
【０００２】
従来、電力会社の配電系統の電柱等に付けられた外灯は、電力会社の顧客である自治体、自治会、個人等の所有物となっている。そのため、電力会社は、住民からの連絡や電力会社の巡回検査によって、夜間に点灯しない外灯や昼間に点灯している外灯等の不具合外灯を発見しても、その不具合外灯の所有者からの申し出等がないと、その不具合外灯を取り替えることができない。したがって、これらの顧客からの球替等の申し出がされるまでは、その不具合外灯は、夜間不点灯又は昼間点灯の状態で放置されてしまう。
【０００３】
また、住民が不具合外灯を発見しても、住民は、その不具合外灯を見ただけではその不具合外灯の所有者を特定することがほとんどできなかった。したがって、不具合外灯を発見した住民は、例えば、その住民が電気代を支払っている電力会社に不具合外灯があることを連絡する。連絡を受けた電力会社は、連絡の内容に基づいて、不具合外灯を特定し、特定された不具合外灯の所有者に連絡を取り、その所有者の許可の元、不具合外灯の電球の取り替えを行うという対応をしている。しかし、このような対応件数はかなり多い。
【０００４】
また、不具合外灯が設置されている場所をたまたま通りかかった住民が、不具合外灯があることをその場で携帯電話などを利用して電力会社に連絡をしても、その住民は、不具合外灯が設置されている詳細な住所を知らない場合が多い。このため、その住民から連絡を受けた電力会社は、不具合外灯がある住所を特定するまで、多くの時間を費やしてしまうことが多かった。
【０００５】
また、夜間不点灯が放置されれば、その外灯が設置されている地域における社会防犯の観点からも望ましくない。また、昼間点灯が放置されれば、貴重な電力を無駄に消費してしまい、地球温暖化などの環境的観点からも望ましくない。
【０００６】
以上の問題について、例えば、特許文献１には、外灯を設置した場所ごとに、外灯に流れる電流や外灯の照度を監視するモジュールを設けて、外灯の電球の切れを検出し、検出された上方をネットワークを通じてオペレータに提供するシステムが開示されている。
【０００７】
また、特許文献２には、外灯の管理データと地図データとをリンクさせて目的の外灯の設置場所や型式等の保守作業に必要な情報を検索して表示する外灯管理システムが開示されている。
【０００８】
また、特許文献３には、外灯の点灯異常を検出するセンサを各外灯の内部に設けられている自動点滅器に付加し、各外灯に無線機を設置し、その無線機から出力される情報を通信ネットワークを介して外灯管理センターに通知するシステムが開示されている。
【０００９】
さらに、点灯異常検出手段と点灯異常がおきた外灯の識別データを含むデータ生成手段とデータ生成手段によって生成されたデータを電力線を介して伝送する電送手段とを備えるシステム（特許文献４参照）、外灯や集合住宅の共用の照明機器の異常を自動検出する照明機器の監視システム（特許文献５参照）、タイマを用いて昼間の点灯故障を検出して表示する方法（特許文献６参照）も開示されている。
【００１０】
しかし、契約に基づいて外灯の夜間不点灯、昼間点灯を検出するシステム、プログラム、機器、サーバ及び外灯点灯確認方法は見当たらない。また、単に異常と連絡されるだけでなく、契約している問題の外灯を修理して正常に早く戻すことが大切である。このような点について具体的な手段に関するものは見当たらない。
【特許文献１】特開２００４−１４２１０号公報
【特許文献２】特開２００４−１１９０３０号公報
【特許文献３】特開平１１−２８３７６０号公報
【特許文献４】特開２００２−８３６９４号公報
【特許文献５】特開２００２−３２４１４２号公報
【特許文献６】特開平７−６５９６７号公報
【発明の開示】
【発明が解決しようとする課題】
【００１１】
本発明は、外灯の保守委託契約に基づいて外灯の夜間不点灯、昼間点灯を検出する外灯点灯確認システム、外灯点灯確認プログラム、外灯点灯確認機器、外灯点灯確認サーバ及び外灯点灯確認方法を提供することを目的とする。
【課題を解決するための手段】
【００１２】
上記目的を達成するため、発明者は、保守委託契約に基づいて契約された外灯の夜間不点灯、昼間点灯の検出をすること並びに保守委託契約料金を電気料金と共に請求することに着目して以下の発明をした。
【００１３】
（１）  １以上の外灯と、前記外灯を管理する管理サーバと、が通信回線を介して互いに接続された外灯点灯確認システムであって、前記外灯の所有者と電気事業者間で保守委託契約をした契約外灯情報を記憶した契約外灯情報記憶手段と、前記契約外灯情報に基づいて所定の時刻に外灯の点灯確認を行う点灯確認手段と、前記点灯確認手段による点灯確認結果を表示する表示手段と、を備えた外灯点灯確認システム。
【００１４】
（１）に記載の発明による外灯点灯確認システムを用いることにより次のような効果が期待できる。
【００１５】
契約外灯情報記憶手段には外灯の所有者と電気事業者間で保守委託契約をした契約外灯情報が記憶されている。契約外灯情報に基づいて、点灯確認手段により所定の時刻に外灯の点灯確認を行う。点灯確認結果を表示手段により表示する。したがって、契約した外灯のどの外灯が異常であったかをシステムの使用者は確認することができる。
【００１６】
ここで、所定の時刻とは、夜間不点灯、昼間点灯を点灯確認するのに必要な時刻を言う。所定の時刻は日の出時間、日没時間が変わるので季節により変動する。また、外灯とは、外部の電柱に取り付けられている物のみならず、屋内の共用部にあるもの、電気を使用した看板も含まれる。
【００１７】
（２）  （１）に記載の発明による外灯点灯確認システムであって、前記点灯確認結果を点灯確認した時刻に関係付けて履歴データとして記憶する履歴データ記憶手段を更に有し、前記表示手段は、前記履歴データを表示する手段を更に有する。
【００１８】
（２）に記載の発明による外灯点灯確認システムを用いることにより次のような効果が期待できる。
【００１９】
履歴データ記憶手段により前記点灯確認結果を時刻に関係付けて履歴データとして記憶する。前記表示手段は、履歴データ記憶手段を更に有し、この記憶されている履歴データを表示する。システムの使用者は表示された履歴データを調査することにより、契約された外灯のどこに故障が発生しやすいかを明らかにすることができる。また、海岸の近くにある外灯と内陸部にある外灯とでは、どの程度故障率が異なるかを統計的に把握することができる。そのデータを予防修理の資料とすることができる。
【００２０】
（３）  （２）に記載の外灯点灯確認システムであって、前記履歴データ記憶手段が記憶している履歴データと、個々の外灯の各部品の寿命データの情報から、前記外灯の部品の交換時期を演算する交換時期演算手段と、前記表示手段は、前記交換時期演算手段により演算された外灯の部品の交換時期を表示する手段を更に有する外灯点灯確認システム。
【００２１】
（３）に記載の発明による外灯点灯確認システムを用いることにより次のような効果が期待できる。
【００２２】
交換時期演算手段が、記憶している履歴データと、個々の外灯の各部品の寿命データの情報から、前記外灯の部品の交換時期を演算する。交換時期演算手段により演算された外灯の部品の交換時期を表示する。したがって、表示した交換時期に交換することにより、外灯の夜間不点灯、昼間点灯などの故障を未然に防ぐことができる。
【００２３】
（４）  （２）または（３）に記載の外灯点灯確認システムであって、前記履歴データ記憶手段により記憶されている履歴データに基づいて保守委託契約料金を算出する保守委託契約料金算出手段と、前記保守委託契約料金を電気料金と共に該当の所有者に請求する料金請求手段と、を更に有する外灯点灯確認システム。
【００２４】
（４）に記載の発明による外灯点灯確認システムを用いることにより次のような効果が期待できる。
【００２５】
保守委託契約料金算出手段により、記憶されている履歴データに基づいて保守委託契約料金が算出される。算出された保守委託契約料金は料金請求手段により電気料金と共に該当の所有者に請求される。したがって、確実に必要な保守委託契約料金を電気事業者は回収することができる。また、外灯の所有者としても料金支払いの手間が軽減される。
【００２６】
（５）  外灯点灯確認機器であって、外灯の発する光を検出する外灯光検出手段と、太陽光を検出する太陽光検出手段と、外灯の識別記号を記憶する識別記号記憶手段と、を備えた外灯点灯確認機器。
【００２７】
（５）に記載の発明による外灯点灯確認機器を用いることにより次のような効果が期待できる。
【００２８】
本発明の外灯点灯確認機器は、太陽光を検出する太陽光検出手段のほかに外灯光検出手段と外灯の識別記号を記憶する識別記号記憶手段とを備えている。外灯光検出手段は太陽光の影響を受けなく検出することが望ましい。
【００２９】
従来の太陽光のみを検出して外灯を点灯したり消灯したりする機器に対して、外灯光検出手段を備えているので、外灯が点灯しているか否かを検出することができる。したがって、太陽光の検出結果と共に判断することにより、昼間点灯などを検出することができる。また、サーバからサンプリング手段によるサンプリング信号を受信した際に、検出した結果を外灯の識別記号と関係付けて返信することができる。
【００３０】
（６）  （１）から（４）のいずれかに記載の外灯点灯確認システムであって、前記点灯確認手段は、（５）に記載の発明による外灯点灯確認機器と、所定の時刻に、前記識別記号に関連付けて前記外灯光検出手段と前記太陽光検出手段との検出を行うサンプリング手段と、前記検出情報に基づき外灯が正常か異常かを判定する判定手段と、を備える外灯点灯確認システム。
【００３１】
（６）に記載の発明による外灯点灯確認システムを用いることにより次のような効果が期待できる。
【００３２】
サンプリング手段は、所定の時刻に、前記識別記号に関連付けて前記外灯光検出手段と前記太陽光検出手段との検出を行うので、所定の時刻を適切に設定することにより、夜間不点灯、昼間点灯などの故障を検出することができる。所定の時刻は、季節・地方により変動するので、外灯の設置場所、日の出、日の入りの予想時刻を考慮して予め決めることが望ましい。
【００３３】
（７）  １以上の外灯と、前記外灯を管理する管理サーバと、が通信回線を介して互いに接続された外灯点灯確認システムにおいて、コンピュータを前記管理サーバとして機能させるための外灯点灯確認プログラムであって、前記外灯の所有者と電気事業者間で保守委託契約した契約外灯情報を記憶した契約外灯情報記憶手段、前記契約情報に基づいて所定の時刻に外灯の点灯確認を行う点灯確認手段、及び前記点灯確認手段による点灯確認結果を表示する表示手段、として機能させることを特徴とする外灯点灯確認プログラム。
【００３４】
（７）に記載の発明による外灯点灯確認プログラムをコンピュータに読み込ませて機能させることにより（１）に記載した発明と同様な効果が期待できる。
【００３５】
（８）  （７）に記載の外灯点灯確認プログラムであって、前記コンピュータを、前記点灯確認結果を時刻に関係付けて履歴データとして記憶する履歴データ記憶手段、及び前記表示手段を、前記履歴データを表示する手段、としてさらに機能させることを特徴とする外灯点灯確認プログラム。
【００３６】
（８）に記載の発明による外灯点灯確認プログラムをコンピュータに読み込ませて機能させることにより（２）に記載した発明と同様な効果が期待できる。
【００３７】
（９）  （７）または（８）に記載の外灯点灯確認プログラムであって、前記コンピュータを、前記履歴データ記憶手段が記憶している履歴データと、個々の外灯の各部品の寿命データの情報から、前記外灯の部品の交換時期を演算する交換時期演算手段、及び前記表示手段は、前記交換時期演算手段により演算された外灯の部品の交換時期を表示する手段、としてさらに機能させることを特徴とする外灯点灯確認プログラム。
【００３８】
（９）に記載の発明による外灯点灯確認プログラムをコンピュータに読み込ませて機能させることにより（３）に記載した発明と同様な効果が期待できる。
【００３９】
（１０）  （７）から（９）のいずれかに記載の外灯点灯確認プログラムであって、前記コンピュータを、前記履歴データ記憶ステップにより記憶されている履歴データに基づいて保守委託契約料金を算出する保守委託契約料金算出手段、及び前記保守委託契約料金を電気料金と共に該当の所有者に請求する料金請求手段、としてさらに機能させることを特徴とする外灯点灯確認プログラム。
【００４０】
（１０）に記載の発明による外灯点灯確認プログラムをコンピュータに読み込ませて機能させることにより（４）に記載した発明と同様な効果が期待できる。
【００４１】
（１１）  （７）から（１０）のいずれかに記載の外灯点灯確認プログラムであって、前記コンピュータを、所定の時刻に、前記識別記号記憶手段に記憶されている識別記号に関連付けて前記外灯光検出手段と前記太陽光検出手段の検出を行うサンプリング手段としてさらに機能させることを特徴とする外灯点灯確認プログラム。
【００４２】
（１１）に記載の発明による外灯点灯確認プログラムをコンピュータに読み込ませて機能させることにより（６）に記載した発明と同様な効果が期待できる。
【００４３】
（１２）  １以上の外灯と通信回線を介して接続された、前記外灯を管理する外灯点灯確認サーバであって、前記外灯の所有者と電気事業者間で保守委託契約をした契約外灯情報を記憶した契約外灯情報記憶手段と、前記契約外灯情報記憶手段に記憶された契約外灯情報に基づいて所定の時刻に外灯の点灯確認を行う点灯確認手段と、前記点灯確認手段による点灯確認結果を表示する表示手段と、を少なくとも備えた外灯点灯確認サーバ。
【００４４】
（１２）に記載の発明による外灯点灯確認サーバを用いることにより次のような効果が期待できる。
【００４５】
契約外灯情報記憶手段には外灯の所有者と電気事業者間で保守委託契約をした契約外灯情報が記憶されている。契約外灯情報に基づいて、点灯確認手段により所定の時刻に外灯の点灯確認を行う。点灯確認結果を表示手段により表示する。したがって、契約した外灯のどの外灯が異常であったかをサーバの使用者は確認することができる。
【００４６】
（１３）  １以上の外灯と、前記外灯を管理する管理サーバと、が通信回線を介して互いに接続されたシステムにおける外灯点灯確認方法であって、前記外灯の所有者と電気事業者間で保守委託契約をした契約外灯情報を記憶する契約外灯情報記憶ステップと、前記契約外灯情報に基づいて所定の時刻に外灯の点灯確認を行う点灯確認ステップと、前記点灯確認ステップによる点灯確認結果を表示する表示ステップと、を有する外灯点灯確認方法。
【００４７】
（１３）に記載の発明による外灯点灯確認方法を用いることにより次のような効果が期待できる。
【００４８】
契約外灯情報記憶ステップでは外灯の所有者と電気事業者間で保守委託契約をした契約外灯情報が記憶する。契約外灯情報に基づいて、点灯確認ステップにより所定の時刻に外灯の点灯確認を行う。点灯確認結果を表示ステップにより表示する。したがって、契約した外灯のどの外灯が異常であったかを外灯点灯確認方法の使用者は確認することができる。
【００４９】
（１４）  （１３）に記載の外灯点灯確認方法であって、前記点灯確認結果を確認時刻に関係付けて履歴データとして記憶する履歴データ記憶ステップを更に有し、前記表示ステップは、前記履歴データを表示するステップを更に有する外灯点灯確認方法。
【００５０】
（１４）に記載の発明による外灯点灯確認方法を用いることにより次のような効果が期待できる。
【００５１】
履歴データ記憶ステップにより前記点灯確認結果を時刻に関係付けて履歴データとして記憶する。履歴データ記憶ステップを更に有し、前記表示ステップは、この記憶されている履歴データを表示する。システムの使用者は表示された履歴データを調査することにより、契約された外灯のどこに故障が発生しやすいかを明らかにすることができる。また、海岸の近くにある外灯と内陸部にある外灯とでは、どの程度故障率が異なるかを統計的に把握することができる。そのデータを予防修理の資料とすることができる。
【００５２】
（１５）  （１３）または（１４）に記載の外灯点灯確認方法であって、前記履歴データ記憶ステップにて記憶している履歴データと、個々の外灯の各部品の寿命データ情報から、前記外灯の部品の交換時期を演算する交換時期演算ステップと、前記表示ステップは、前記交換時期演算ステップにより演算された外灯の部品の交換時期を表示するステップを更に有する外灯点灯確認方法。
【００５３】
（１５）に記載の発明による外灯点灯確認方法を用いることにより次のような効果が期待できる。
【００５４】
交換時期演算ステップが、記憶している履歴データと、個々の外灯の各部品の寿命データの情報から、前記外灯の部品の交換時期を演算する。交換時期演算ステップにより演算された外灯の部品の交換時期を表示する。したがって、表示した交換時期に交換することにより、外灯の夜間不点灯、昼間点灯などの故障を未然に防ぐことができる。
【発明の効果】
【００５５】
本発明によれば、契約外灯情報に基づいて、点灯確認手段により所定の時刻に外灯の点灯確認を行い、また、点灯確認結果を点灯確認した時刻に関係付けて履歴データとして記憶する。記憶している履歴データと、個々の外灯の各部品の寿命データの情報から、前記外灯の部品の交換時期を演算する。演算された外灯の部品の交換時期を表示する。表示した交換時期に交換することにより、外灯の夜間不点灯、昼間点灯などの故障を未然に防ぐことができる。
【００５６】
記憶されている履歴データに基づいて保守委託契約料金が算出される。算出された保守委託契約料金は電気料金と共に該当の所有者に請求される。したがって、確実に必要な保守委託契約料金を電気事業者は回収することができる。また、外灯の所有者としても料金支払いの手間を軽減することができる。
【発明を実施するための最良の形態】
【００５７】
以下、本発明を実施するための最良の形態について添付した図面を参照しながら説明する。なお、これはあくまでも一例であって、本発明の技術的範囲はこれに限られるものではない。
【００５８】
［第１の実施例］
図１は本発明に係る外灯点灯確認システムであり、図２は、本発明の外灯点灯確認システムを運用する場合の概念図である。図３は、本発明の外灯点灯確認システムの動作を示す概略のフローチャートである。図４は、外灯点灯確認機器の構成を示す図であり、図５は、その実施例である。図６は、外灯点灯確認機器の具体的な実施例を示す図であり、図７はサンプリング結果を判定する図である。
【００５９】
外灯点灯確認システム１は、管理サーバ１００と、外灯点灯確認機器２００（１）、・・・２００（ｎ）、・・・（以下「２００（ｎ）」と略す。）、通信回線３００にて構成される。
【００６０】
管理サーバ１００は、市販のワークステーションに専用のコンピュータソフトウエアプログラムをインストールすることにより実現することができる。また、既存の配電自動化システム中に余裕があれば組み入れることもできる。
【００６１】
管理サーバ１００は、電力を供給する顧客に関する情報を記憶する顧客情報管理部１２０、制御部１３０、情報を表示する表示手段１４０、記憶手段１５０、通信回線３００を介して外灯点灯確認機器２００（ｎ）と通信する通信部１６０、料金請求手段１７０、管理サーバ１００の時刻が必要な演算時に必要時刻を参照可能な時計手段１８０を有する。顧客情報管理部１２０には、契約外灯情報記憶手段１２２が記憶されている。
【００６２】
制御部１３０は、通信部１６０と通信回線３００とを介して季節・地域に対応して決められた時刻に外灯点灯確認機器２００（ｎ）の情報を取得するサンプリング手段１３２、外灯の点灯確認情報に基づき外灯の異常・正常を判定する判定手段１３３、交換時期演算手段１３４及び保守委託料金算出手段１３６を有する。制御部１３０は、中央演算装置と関連するソフトウエアプログラムにより実現することができる。
【００６３】
記憶手段１５０は、ハードデイスクと関連するソフトウエアプログラムで実現することができ、点灯確認結果を時刻に関係付けて履歴データとして記憶する履歴データ記憶手段１５２と季節・地方により変動する所定の時刻を記憶する点灯確認時刻記憶手段１５４とを有する。
【００６４】
外灯点灯確認機器２００（ｎ）は、図４、図５（ａ）（ｂ）に示すように、保守委託契約された外灯３００（ｎ）に取り付けられている。外灯３００（ｎ）は電柱３１０（ｎ）に取り付けられている。電柱３１０（ｎ）は通常では電力会社により番号を付けて管理されている。したがって、外灯点灯確認機器２００（ｎ）の識別番号を電柱の番号に関連付けることもできる。外灯点灯確認機器２００（ｎ）は、太陽光検出手段２２０（ｎ）、外灯光検出手段２４０（ｎ）、識別記号記憶手段２６０（ｎ）、通信手段２８０（ｎ）により構成される。
【００６５】
外灯３００（ｎ）のカバー３２０（ｎ）に外灯光検出手段２４０（ｎ）が取り付けられている。外灯光検出手段２４０（ｎ）は、外部から光を通さないケースにより覆われており、下部に穴２４２（ｎ）が開いている。また、カバー３２０（ｎ）も一部に外灯光のみを通す穴３２２（ｎ）穴があけられている。したがって、外灯光はホトトランジスタ２４４（ｎ）にて受光される。
【００６６】
外灯光検出手段２４０（ｎ）の上部に太陽光検出手段２２０（ｎ）が取り付けられている。太陽光検出手段２２０（ｎ）のカバーは太陽光のみを通すような半透明の材質である。また、外灯光の影響を受けないように外灯３００（ｎ）のカバー３２０（ｎ）の上で、外灯光検出手段２４０（ｎ）の上に取り付けられている。
【００６７】
外灯点灯確認機器２００（ｎ）は、図６に示すように、従来より使用されている外灯の自動点滅器４００（ｎ）の接点４１０（ｎ）に抵抗Ｒ１と抵抗Ｒ２を図のように接続することによっても実現することができる。この例では、抵抗Ｒ１と抵抗Ｒ２の値を適切に選定することによりＣｄｓセルによる信号を取り出すことができる。また、接点４１０（ｎ）が閉じたときは抵抗Ｒ２の両端に現れる電圧はゼロとなるので太陽光検出手段２２０（ｎ）として活用することができる。
【００６８】
次に、本発明に係る外灯点灯確認システム１の使用法について、図２、図３に基づき説明する。図２に示すように、外灯所有者は地方自治体である都道府県及び市町村、または自治会等である。電力会社等の電気事業者は外灯所有者と外灯に関して保守委託契約を締結する。保守委託契約に基づいて、電力会社等は電柱３１０（ｎ）に外灯点灯確認機器２００（ｎ）を設置する。また、上記説明した手段を備えた管理サーバ１００をも設置する。外灯点灯確認機器２００（ｎ）は通信回線３００を介して管理サーバ１００に接続されている。
【００６９】
電力会社等は、通常業務委託会社に外灯の修理・玉替（電球等の光源の交換）を業務委託している（図２参照）。
【００７０】
このような、外灯点灯確認システム１を整備した後の動作について、図３を参照して以下説明をする。
【００７１】
管理サーバ１００を起動すると、点灯確認時刻記憶手段に記憶されている所定の時刻を読み込む（Ｓ１１０）。管理サーバ１００には時計手段１８０があり、時刻が読み込まれた所定の時刻か一定時間ごとにチェックする（Ｓ１１６）。所定の時刻前の場合は一定時間待つ（Ｓ１１８）。
【００７２】
所定の時刻になると、契約外灯情報記憶手段１２２に記憶されている契約外灯情報からサンプリング対象外灯識別記号を読み出す（Ｓ１２０）。サンプリング対象の判定が終了するまで以下のサンプリングを行う（Ｓ１３０）。サンプリング対象の電柱３１０（ｎ）のうち識別番号の小さいほうから順にサンプリング信号をサンプリング手段１３２により通信回線３００を介して対象の外灯点灯確認機器２００（ｎ）に送信する（Ｓ１４０）。サンプリング信号を受信した外灯点灯確認機器２００（ｎ）は識別番号と太陽光検出情報と外灯光検出情報とを通信回線３００を介して管理サーバ１００に返信する（Ｓ１５０）。
【００７３】
受信した太陽光検出情報と外灯光検出情報とに基づいて判定手段１３３により外灯３００（ｎ）が正常に点灯しているか異常かが判定される（Ｓ１６０）。判定手段１３３は、図７に示すようなテーブルにより判定される。上記で説明したように、季節・地域による日の出、日の入り時間を考慮して適切なサンプリング時刻（所定の時刻）を定める。
【００７４】
太陽光の検出がＯＮで外灯光の検出がＯＮでサンプリング時間が昼間であれば、昼間点灯であり外灯３００（ｎ）は異常である。同じ昼間でも太陽光の検出がＯＮで外灯光の検出がＯＦＦであれば、外灯３００（ｎ）は正常である。
【００７５】
太陽光の検出がＯＦＦで外灯光の検出がＯＦＦでサンプリング時間が夜であれば、夜間不点灯であり外灯３００（ｎ）は異常である。同じ夜でも太陽光の検出がＯＦＦで外灯光の検出がＯＮであれば、外灯３００（ｎ）は正常である。
【００７６】
判定結果が正常であれば、次の対象、すなわち次の外灯（ｎ＋１）がサンプリングされる（Ｓ１６２）。判定結果が異常であれば表示手段１４０により表示され（Ｓ１７０）、履歴データ記憶手段１５２により履歴データとして、サンプリングをした日、時刻、識別番号、太陽光検出情報、外灯光識別情報が記憶される（Ｓ１８０）。記憶した後は、次の対象、すなわち次の外灯（ｎ＋１）がサンプリングされる（Ｓ１８２）。
【００７７】
このようにして、順次サンプリングを行い、サンプリング対象の判定が終了した場合はサンプリングを終了する（Ｓ１３０）。
【００７８】
以上説明したように、外灯確認システムは契約外灯情報に基づいて、外灯点灯確認手段により所定の時刻に外灯の点灯確認を行う。点灯確認結果を表示手段１４０により表示する。したがって、契約した外灯のどの外灯が異常であったかをシステムの使用者は確認することができる。確認した結果に基づいて電力会社等は異常と表示された外灯を点検し修理することができる。
【００７９】
［第２の実施例］
図８は、外灯点灯確認機器の別な実施例である。外灯点灯確認機器４００（ｎ）は、中央演算装置（ＣＰＵと以下略す。）４１０（ｎ）と記憶部４２０（ｎ）を有する点が外灯点灯確認機器２００（ｎ）と異なる。外灯点灯確認機器４００（ｎ）は、契約外灯の数が膨大になった場合に、サンプリング手段１３２によるサンプリング時間が過大になることを防ぐことができる。
【００８０】
ＣＰＵ４１０（ｎ）と記憶部４２０（ｎ）を有するので、所定の時刻をあらかじめ管理サーバ１００から送信し、記憶部４２０（ｎ）に記憶しておくことができる。記憶されている所定の時刻に、太陽光検出手段２２０（ｎ）、外灯光検出手段２４０（ｎ）によって検出し、検出データ４２２（ｎ）を記憶部４２０（ｎ）に記憶することができる。また、識別記号４２４（ｎ）も記憶部４２０（ｎ）に記憶されている。
【００８１】
管理サーバ１００がサンプリング手段１３２によりサンプリングする際に、記憶されている検出データ４２２（ｎ）を識別記号４２４（ｎ）に関連付けて外灯点灯確認機器４００（ｎ）は返信をする。その結果、第１の実施例より短時間でサンプリングを実行でき、第１の実施例で説明したのと同様な効果が得られる。
【００８２】
［第３の実施例］
図９は、本発明の外灯点灯確認システム１の保守委託料金計算及び請求書を作成するフローチャートである。外灯点灯確認システム１において、保守委託料金計算及び請求書を作成する指示が使用者により出されると、顧客情報が読み込まれる（Ｓ２１０）。次に、契約外灯情報が契約外灯情報記憶手段１２２より読み込まれる（Ｓ２２０）。読み込まれた情報を比較して外灯保守委託契約顧客か否かが判断される（Ｓ２３０）。
【００８３】
契約顧客である場合は履歴データ記憶手段１５２より、履歴データが読み込まれる（Ｓ２４０）。履歴データが読み込まれると電気料金の計算と共に、履歴データに基づいて保守委託料金が計算される（Ｓ２５０）。その後電気料金請求書と共に保守委託料金請求書が作成される（Ｓ２６０）。
【００８４】
契約顧客でない場合は、電気料金のみが計算され（Ｓ２５５）、電気料金請求書が作成される（Ｓ２６５）。
【００８５】
以上のようにして、履歴データに基づいて保守委託料金が計算され、電気料金と共に請求書が作成されるので、電気事業者等は確実に保守委託料を回収できる。一方、外灯の所有者である顧客も電気料金と共に精算されるので、煩わし支払い処理から解放される。
【００８６】
以上の例は、外灯点灯確認システムについて主に説明したが、コンピュータに、外灯点灯確認システムで説明した手段を有する外灯点灯確認プログラムをインストールして、そのコンピュータを手段として機能させることにより同様に実現することができる。
【００８７】
また、上記の外灯点灯確認システムと同等の性能を有するコンピュータに、同等の手段を有するコンピュータプログラムをインストールして、上記で説明したような方法で使用することによっても実現可能である。
【００８８】
以上、本発明の実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００８９】
例えば、外灯光検出手段は光ファイバーを用いて外灯のカバーに穴を開けない方法でもよい。また太陽光検出手段はＣｄｓセルでなくホトダイオードでも同様に本発明の実施が可能である。
【図面の簡単な説明】
【００９０】
【図１】本発明に係る外灯点灯確認システムである。
【図２】本発明の外灯点灯確認システムを運用する場合の概念図である。
【図３】本発明の外灯点灯確認システムの動作を示す概略のフローチャートである。
【図４】外灯点灯確認機器の構成を示す図である。
【図５】外灯点灯確認機器の実施例を示す図である。
【図６】外灯点灯確認機器の具体的な実施例を示す図である。
【図７】サンプリング結果を判定する図である。
【図８】外灯点灯確認機器の別な実施例を示す図である。
【図９】本発明の外灯点灯確認システムの保守委託料金計算及び請求書を作成するフローチャートである。
【符号の説明】
【００９１】
１            外灯点灯確認システム
１００        管理サーバと、
１２０        顧客情報管理部、
１２２        契約外灯情報記憶手段
１３０        制御部
１３２        サンプリング手段
１３３        判定手段
１３４        交換時期演算手段
１３６        保守委託料金算出手段
１４０        表示手段
１５０        記憶手段
１５２        履歴データ記憶手段
１５４        点灯確認時刻記憶手段
２００（ｎ）  外灯点灯確認機器
２２０（ｎ）  太陽光検出手段
２４０（ｎ）  外灯光検出手段
２６０（ｎ）  識別記号記憶手段
２８０（ｎ）  通信手段
３００        通信回線
【図１】
2006344464.tif 000003
【図２】
2006344464.tif 000004
【図３】
2006344464.tif 000005
【図４】
2006344464.tif 000006
【図５】
2006344464.tif 000007
【図６】
2006344464.tif 000008
【図７】
2006344464.tif 000009
【図８】
2006344464.tif 000010
【図９】
2006344464.tif 000011